(57)【要約】【課題】バックライトの発光量を削減することで省電力化を可能とする画像表示装置において、表示画面のうち表示品位への影響度の高いもしくは低い領域とそうでない領域とを区別し、適切なバックライト発光量の制御を行うことにより電力削減効果を高めることを可能とする。【解決手段】表示画面に対してバックライトを照射することによって画像を表示する画像表示装置の駆動回路であって、表示データを計数してヒストグラムを取得し、上位の特定の位置の表示データの値を算出するヒストグラム計数部３０１と、各表示データを伸張する表示データ伸張部３０２と、前記バックライトの発光量を調整するバックライト調整部３０３とからなるバックライト制御部を有し、前記ヒストグラム計数部３０１は、表示位置に応じた重み付け係数を出力する重み付け係数算出部３０５を有し、該重み付け係数を加算して計数することによりヒストグラムを取得する。【選択図】図３
2008268717.tif 000002
【特許請求の範囲】
【請求項１】
表示画面に対してバックライトを照射することによって画像を表示する画像表示装置の駆動回路であって、
１または複数の画像のフレーム単位で表示データを計数してヒストグラムを取得し、該ヒストグラムの上位の特定の位置の表示データの値を算出するヒストグラム計数部と、前記特定の位置の表示データの値に基づいて各表示データを伸張する表示データ伸張部と、前記特定の位置の表示データの値に基づいて前記バックライトの発光量を調整するバックライト調整部とからなるバックライト制御部を有し、
前記ヒストグラム計数部は、各表示データの前記表示画面上における表示位置に応じた重み付け係数を出力する重み付け係数算出部を有し、各表示データについて該重み付け係数を加算して計数することによりヒストグラムを取得することを特徴とする画像表示装置の駆動回路。
【請求項２】
請求項１記載の画像表示装置の駆動回路において、
前記重み付け係数算出部は、前記表示画面上の複数の表示領域毎に定義された重み付け係数に基づいて、各表示データの前記表示画面上における表示位置が属する表示領域に対応する重み付け係数を選択して出力することを特徴とする画像表示装置の駆動回路。
【請求項３】
請求項２記載の画像表示装置の駆動回路において、
前記表示画面上の複数の表示領域毎に定義された重み付け係数を格納するレジスタを有し、該重み付け係数を外部から変更可能であることを特徴とする画像表示装置の駆動回路。
【請求項４】
請求項２または３記載の画像表示装置の駆動回路において、
前記表示画面上の複数の表示領域を特定するための情報を格納するレジスタを有し、該情報を外部から変更可能であることを特徴とする画像表示装置の駆動回路。
【請求項５】
請求項２〜４のいずれか１項記載の画像表示装置の駆動回路において、
該画像表示装置は情報機器の画像表示装置であり、前記表示画面上の複数の表示領域のうち少なくとも１つが、前記情報機器が表示するアイコンが表示される領域に対応することを特徴とする画像表示装置の駆動回路。
【請求項６】
請求項１記載の画像表示装置の駆動回路において、
前記重み付け係数算出部は、各表示データの前記表示画面上における表示位置の座標の少なくとも１つを入力値とする関数により重み付け係数を算出して出力することを特徴とする画像表示装置の駆動回路。
【請求項７】
請求項６記載の画像表示装置の駆動回路において、
前記関数のパラメータを格納するレジスタを有し、該パラメータを外部から変更可能であることを特徴とする画像表示装置の駆動回路。
【請求項８】
表示画面に対してバックライトを照射することによって画像を表示する画像表示装置の駆動回路であって、
１または複数の画像のフレーム単位で表示データを計数してヒストグラムを取得し、該ヒストグラムの上位の特定の位置の表示データの値を算出するヒストグラム計数部と、前記特定の位置の表示データの値に基づいて各表示データを伸張する表示データ伸張部と、前記特定の位置の表示データの値に基づいて前記バックライトの発光量を調整するバックライト調整部とからなるバックライト制御部を有し、
前記ヒストグラム計数部は、前記表示画面の所定の領域の表示データの内容に応じた重み付け係数を出力する重み付け係数算出部を有し、各表示データについて該重み付け係数を加算して計数することによりヒストグラムを取得することを特徴とする画像表示装置の駆動回路。
【請求項９】
請求項８記載の画像表示装置の駆動回路において、
前記表示画面の所定の領域の表示データの内容は、アイコン画像であることを特徴とする画像表示装置の駆動回路。
【請求項１０】
請求項８記載の画像表示装置の駆動回路において、
前記表示画面の所定の領域の表示データの内容は、前記表示画面の所定の領域以外の表示データの内容と比較して、高輝度成分が多い画像、または輝度分解能が低下しても表示品位への影響度の低い画像、または階調数もしくは輝度数の少ない画像、または階調変化もしくは輝度変化の少ない画像であることを特徴とする画像表示装置の駆動回路。
【請求項１１】
表示画面に対してバックライトを照射することによって画像を表示する画像表示方法であって、
バックライト制御部は、１または複数の画像のフレーム単位で表示データを計数してヒストグラムを取得し、該ヒストグラムの上位の特定の位置の表示データの値を算出する処理と、前記特定の位置の表示データの値に基づいて各表示データを伸張する処理と、前記特定の位置の表示データの値に基づいて前記バックライトの発光量を調整する処理とを実行し、
表示データを計数してヒストグラムを取得する際に、各表示データの前記表示画面上における表示位置に応じた重み付け係数を取得し、該重み付け係数を加算して計数することによりヒストグラムを取得することを特徴とする画像表示方法。
【請求項１２】
請求項１１記載の画像表示方法において、
前記重み付け係数を取得する際に、前記表示画面上の複数の表示領域毎に定義された重み付け係数に基づいて、各表示データの前記表示画面上における表示位置が属する表示領域に対応する重み付け係数を選択して取得することを特徴とする画像表示方法。
【請求項１３】
請求項１１記載の画像表示方法において、
前記重み付け係数を取得する際に、各表示データの前記表示画面上における表示位置の座標の少なくとも１つを入力値とする関数により重み付け係数を算出して取得することを特徴とする画像表示方法。
【発明の詳細な説明】
【技術分野】
【０００１】
本発明は、画像表示装置の駆動回路および画像表示方法に関し、特に、液晶ディスプレイやプロジェクタ等の、表示画面に対してバックライトを照射することによって画像を表示する画像表示装置の駆動回路および画像表示方法に適用して有効な技術に関するものである。
【背景技術】
【０００２】
近年、バッテリ動作の情報機器や携帯電話などに液晶ディスプレイが搭載されている。これらの液晶ディスプレイは、ほとんどがバックライトを必要とする透過型、半透過型であるが、現在液晶ディスプレイ部分の消費電力の多くがバックライトで占められるようになっており、この消費電力を削減する工夫が必要となっている。特に携帯電話においては、テレビ等の動画像が鑑賞できるようになり、ディスプレイを表示したままの長時間のバッテリ駆動が必要となってきている。
【０００３】
バックライトの消費電力削減の工夫としては、特開平１１−６５５３１号公報（特許文献１）に提示されている方法などがある。例えば、バックライトが１００％発光し、手前の液晶セルで８０％透過させた場合、見えるのは８０％の光である。この場合、バックライトが１００％発光しているにも関らず、液晶セルで光量を２０％ダウンさせている。
【０００４】
これに対し、バックライトを８０％発光にして、液晶セルを１００％透過にした場合、見えるのは同様に８０％の光であるが、バックライトの発光を８０％に抑えることができる。特許文献１に提示されているバックライト制御方法では、これらの違いを利用して、バックライトの発光量を抑えることにより消費電力を削減する。
【０００５】
ある画像の表示データのヒストグラムにおいて、輝度８０％の画素が最大輝度となっているような場合、この画像を表示するのにバックライトを４／５倍である８０％の発光に落とし、その分表示画像の全画素の表示データの値を５／４倍に伸張することによって、全く同一の画像を８０％のバックライトの発光量で表示することができる。
【０００６】
さらに、ヒストグラムの上位数％の位置にある画素に着目し、例えばこの部分が６０％の輝度となっている場合、バックライトの発光量を３／５の６０％に抑え、その分表示画像の全画素の表示データの値を５／３倍に伸張することでほぼ同様の画像を得ることができる。この場合、画像中の最大輝度を利用する方式に比べ、さらに少ないバックライトの発光量での表示が可能となる。
【０００７】
ただしこの場合は、表示データの値が取り得る最大値の３／５よりも高い値の画素（前述のヒストグラムの上位数％の画素）については、表示データを５／３倍に伸張したときに値が最大値に飽和してしまい、輝度分解能がなくなる。このためこれらの画素については、バックライトの発光量を３／５に抑えたときに元の輝度より暗くなってしまい、結果としてある程度の画質劣化を伴うこととなる。
【特許文献１】特開平１１−６５５３１号公報
【発明の開示】
【発明が解決しようとする課題】
【０００８】
特許文献１に提示されているヒストグラムを使用したバックライト制御方法では、前述の画質劣化は避けることができないが、この画質劣化を許容できる一定レベル以内の範囲に抑制するため、表示画像のヒストグラムを解析して、表示データの伸長により輝度分解能がなくなり画質劣化する領域の面積を、画面全体の数％以内となるように制限し、バックライト発光量の削減率と表示データの伸長率の制御を行うことで、消費電力の削減を図っている。
【０００９】
ここで例えば、特許文献１に提示されているバックライト制御方法を用いてバックライト発光量を３０％削減させることが可能、すなわち表示画像のヒストグラムの上位数％の位置にある画素の輝度が７０％の自然画があったとする。この自然画に、機能ボタンや情報を象徴的に表す人工画像であるアイコンを重ねて表示すると、アイコンには白や赤、緑、青など高輝度な色を使用することが多いため、ヒストグラムの上位数％をアイコン領域の画素が占めてしまい、上位数％の位置にある画素の輝度が７０％よりも高くなる。その結果、バックライト発光量を削減できる量が自然画のみの場合の３０％よりも低下してしまうことがある。
【００１０】
携帯電話やデジタルカメラなどの表示画面では、上記の例のように、自然画と高輝度画素の多いアイコンを同時に表示する機会が多く、従来技術のバックライト制御方法では期待通りの消費電力削減効果が得られない場合がある。
【００１１】
そこで本発明の目的は、ある程度の画素についての画質劣化を許容しつつその分バックライトの発光量を削減することで省電力化を可能とする画像表示装置において、例えばアイコン等の、高輝度画素が多く、ベタ塗り図形で輝度分解能がなくなっても表示品位に対する影響度が低い部分など、表示画面のうち表示品位への影響度の高いもしくは低い領域とそうでない領域とを区別し、表示品位への影響度を加味した適切なバックライト発光量の制御を行うことにより、表示品位を維持しつつ消費電力削減効果を高めることを可能とする画像表示装置の駆動回路および画像表示方法を提供することにある。
【００１２】
本発明の前記ならびにその他の目的と新規な特徴は、本明細書の記述および添付図面から明らかになるであろう。
【課題を解決するための手段】
【００１３】
本願において開示される発明のうち、代表的なものの概要を簡単に説明すれば、次のとおりである。
【００１４】
本発明は、表示画面に対してバックライトを照射することによって画像を表示する画像表示装置の駆動回路および画像表示方法であって、以下の特徴を有する。
【００１５】
すなわち、前記駆動回路は、１または複数の画像のフレーム単位で表示データを計数してヒストグラムを取得し、該ヒストグラムの上位の特定の位置の表示データの値を算出するヒストグラム計数部と、前記特定の位置の表示データの値に基づいて各表示データを伸張する表示データ伸張部と、前記特定の位置の表示データの値に基づいて前記バックライトの発光量を調整するバックライト調整部とからなるバックライト制御部を有し、前記ヒストグラム計数部は、各表示データの前記表示画面上における表示位置に応じた重み付け係数を出力する重み付け係数算出部を有し、各表示データについて該重み付け係数を加算して計数することによりヒストグラムを取得することを特徴とするものである。
【発明の効果】
【００１６】
本願において開示される発明のうち、代表的なものによって得られる効果を簡単に説明すれば以下のとおりである。
【００１７】
本発明によれば、各画素の表示位置による表示品位への影響度とバックライト発光量制御への影響度を一致させることができ、表示品位への影響を従来技術に比べて緻密に管理することができるため、表示品位を維持しつつバックライト発光量をより一層削減することができ、さらなる省電力化を図ることができる。
【発明を実施するための最良の形態】
【００１８】
以下、本発明の実施の形態を図面に基づいて詳細に説明する。なお、実施の形態を説明するための全図において、同一部には原則として同一の符号を付し、その繰り返しの説明は省略する。
【００１９】
また、表示画面に対してバックライトを照射することによって画像を表示する画像表示装置の一例として液晶表示装置を例に説明するが、これに限定されるものではない。
【００２０】
図１は、本発明の実施の形態の概念を説明するための図であり、携帯電話機でテレビ・カメラ等の自然画表示を実現した場合における液晶表示装置の概念図である。
【００２１】
昨今では携帯電話機１０１であっても、液晶パネル１０４に、テレビ映像やカメラ映像のような自然画と、操作ボタン・電池残量・電波受信感度・時刻といったアイコン領域１０６とを同時に表示する場合がある。液晶パネル１０４を駆動する信号線駆動回路１０２と走査線駆動回路１０３、バックライトモジュール１０５は、このようにアイコン領域１０６とそれ以外の自然画表示領域が混在した表示データであっても、等しく取り扱うことになる。
【００２２】
自然画は、一般的に暗い映像ソースであることが多く、自然画だけを表示する場合に特許文献１に提示されているバックライト制御方法を適用すると、バックライト発光量を３、４割程度削減できることが多い。しかし、自然画とアイコンを同時に表示する場合には、アイコンに高輝度画素が多く含まれることから、同様のバックライト制御方法ではバックライト発光量を削減することができない。
【００２３】
なお、自然画をアイコンと同時に表示する場合に、自然画だけを表示する場合と同様にバックライト発光量を３、４割程度削減すると、高輝度な画素を含むアイコンは表示輝度が落ちるが、実用上はアイコンと他の画像の区別が付くだけで十分である。バックライト発光量を削減して、アイコン表示に画質劣化が生じても、全体の表示品位への影響度は低い。
【００２４】
本発明の実施の形態では、アイコン表示領域に限ることなく、表示画面のうち表示品位への影響度の高いもしくは低い領域とそうでない領域とを区別し、表示品位への影響度を加味した適切なバックライト発光量の制御を行う。なお、表示品位への影響度の低い領域とは、例えば、ベタ塗り図形や、階調数（輝度数）の少ない画像、階調変化（輝度変化）の少ない画像が表示される領域をいう。
【００２５】
＜実施の形態１＞
以下に、本発明の実施の形態１の液晶表示装置の駆動回路について、図２〜図３を用いて説明する。本実施の形態は、表示画面上に図１に示すようにアイコン領域１０６を設け、ヒストグラム計数時に自然画表示領域とアイコン領域１０６のそれぞれについて表示品位への影響度に応じた重み付けを行い、バックライト発光量の制御を行うものである。
【００２６】
図２は、本発明の実施の形態１の液晶駆動回路を含む液晶表示装置の構成を表した図である。液晶表示装置は、液晶駆動回路２０１、液晶パネル２０２、バックライトモジュール２０３、制御プロセッサ２０４を有する構成となっている。
【００２７】
液晶パネル２０２は、後述する液晶駆動回路２０１から印加される電圧のレベルでその表示輝度が制御されるものであり、例えば画素毎にＴＦＴが配置され、これに対して信号線と走査線とがマトリクス状に配線されるアクティブマトリクス型のパネルとする。
【００２８】
液晶駆動回路２０１は、液晶パネル２０２内の走査線に線順次でＴＦＴをオン状態にする走査パルスを印加し、信号線を介してＴＦＴのソース端子に接続された画素電極に表示輝度を制御するための階調電圧を印加する。なお、画素電極に印加された階調電圧により、液晶パネル２０２の液晶分子にかかる実効値が変化し、表示輝度は制御されるものとする。
【００２９】
バックライトモジュール２０３は、バックライトを構成する発光素子に流れる電流量でその発光量が決定され、外部から、例えば液晶駆動回路２０１から入力されるパルス信号でその発光動作はＯＮ／ＯＦＦ制御されるものとする。制御プロセッサ２０４は、画像の表示データを作成して液晶駆動回路２０１へ転送する。
【００３０】
液晶駆動回路２０１は、システムインターフェース２０５、コントロールレジスタ２０６、タイミング発生回路２０９、グラフィックＲＡＭ２１０、バックライト制御部２１１、階調電圧生成回路２１２、信号線駆動回路２１３、走査線駆動回路２１４、ＰＷＭ回路２１５、バックライト電源回路２１６を有する構成となっている。
【００３１】
システムインターフェース２０５は、制御プロセッサ２０４から転送される表示データやインストラクションを受け、後述のコントロールレジスタ２０６へ出力する動作を行う。ここで、インストラクションとは、液晶駆動回路２０１の内部動作を決定するための情報であり、フレーム周波数と駆動ライン数、色数、後述するヒストグラムを計数する際の重み付け係数などの各種パラメータを含む。
【００３２】
コントロールレジスタ２０６は、ラッチ回路を内蔵し、システムインターフェース２０５から受け取るアイコン領域の座標情報とアイコン領域の重み付け係数を後述のバックライト制御部２１１に転送する。このコントロールレジスタ２０６は、アイコン領域座標設定レジスタ２０７とアイコン領域重み付け係数設定レジスタ２０８とを有する構成となっている。
【００３３】
アイコン領域座標設定レジスタ２０７は、アイコン領域の表示画面における位置を指定するレジスタで、矩形領域の対角にあたる２点の座標を指定する。矩形領域の頂点１つと矩形の長辺・短辺の長さを指定する構成であっても構わない。アイコン領域重み付け係数設定レジスタ２０８は、アイコン領域内の画素についてのヒストグラム計数時の重み付け係数を指定するレジスタである。自然画領域に対してアイコン領域内の画素の重み付けを高くする場合には、アイコン領域重み付け係数設定レジスタ２０８に１より大きい値を設定し、重み付けを低くする場合には１より小さい値を設定する。
【００３４】
タイミング発生回路２０９は、ドットカウンタを持っており、ドットクロックをカウントすることでラインクロックを生成する。このラインクロックに基づいて、後述するグラフィックＲＡＭ２１０からバックライト制御部２１１へのデータ転送や、走査線駆動回路２１４の出力タイミングが規定される。グラフィックＲＡＭ２１０は、システムインターフェース２０５から転送される表示データを蓄積し、後述するバックライト制御部２１１に転送する。
【００３５】
バックライト制御部２１１は、本実施の形態の液晶駆動回路２０１において中心となるブロックであり、グラフィックＲＡＭ２１０から転送される表示データを受け取り、表示データの伸張処理を実行し、後述の信号線駆動回路２１３へ転送する。また、バックライト発光量の制御を行うためのバックライト設定値を算出して出力する。階調電圧生成回路２１２は、複数の階調表示を実現するアナログの階調電圧レベルを生成する。
【００３６】
信号線駆動回路２１３は、内蔵したデコーダ回路、レベルシフタ、セレクタ回路でバックライト制御部２１１から転送されるデジタルの表示データをアナログの階調電圧レベルに変換するＤＡコンバータの役割を果たす。ここで得られたアナログの階調電圧が液晶パネル２０２に印加され、その表示輝度を制御することになる。
【００３７】
走査線駆動回路２１４は、タイミング発生回路２０９から転送されるラインクロックに同期して、内蔵したシフトレジスタで走査線に対して線順次になるような走査パルスを生成する。さらに内蔵したレベルシフタが前記シフトレジスタから転送されるＶｃｃ−ＧＮＤレベルの走査パルスをＶＧＨ−ＶＧＬレベルに変換した後に、液晶パネル２０２へ出力する。なお、ＶＧＨはＴＦＴがオン状態になる電圧レベル、ＶＧＬはＴＦＴがオフ状態になる電圧レベルである。
【００３８】
ＰＷＭ回路２１５は、バックライト制御部２１１から転送されるバックライト設定値をパルス幅に変調する。具体的には、内蔵するカウンタでタイミング発生回路２０９から転送されるドットクロックをカウントし、同じく内蔵した比較器でカウンタ値と前述のバックライト設定値とを比較する。これによりバックライト設定値と同数のクロック時間ハイ電圧となるバックライト制御パルスが生成される。
【００３９】
バックライト電源回路２１６は、内蔵したレベルシフタでＰＷＭ回路２１５から転送されるＶｃｃ−ＧＮＤレベルのバックライト制御パルスをバックライトモジュール２０３の動作電圧に変換する。電圧変換後のバックライト制御パルスがバックライトモジュール２０３に入力されるが、その光量は常時一定ではなく、表示データに応じて制御されるものとする。
【００４０】
次に、バックライト制御部２１１における動作内容について説明する。図３は、本実施の形態におけるバックライト制御部２１１の構成を表した図である。バックライト制御部２１１は、ヒストグラム計数部３０１、表示データ伸張部３０２、バックライト調整部３０３を有する構成となっている。
【００４１】
ヒストグラム計数部３０１は、ヒストグラム区間判定部３０４、重み付け係数算出部３０５、スレッショルド値判定部３０６、カウンタ１〜１６（３１１〜３２６）を有する構成となっており、表示画像のフレーム単位で表示データを計数してヒストグラムを取得し、当該ヒストグラムの上位の特定の位置の表示データの値であるスレッショルド値を算出する処理を行う。
【００４２】
ヒストグラム区間判定部３０４は、入力された表示データの階調値に応じてヒストグラムの区間を判定する。図３では、０〜２５５までの階調を１６個の区間に分割し、１６個の階調区間それぞれの出現頻度を計数する場合の例を示している。例えば、入力された表示データの階調値が０〜１５の範囲内である場合には、ヒストグラム区間判定部３０４は、階調値０〜１５の出現頻度を計数するカウンタ１（３１１）にイネーブル信号を送り、カウンタ１（３１１）をカウントアップさせる。
【００４３】
重み付け係数算出部３０５は、入力された表示データが、表示画面上のアイコン領域に属する画素であるか、その他の領域に属する画素であるかを判定し、属する領域に対応する重み付け係数を算出してカウンタ１〜１６（３１１〜３２６）へ出力する。アイコン領域は、前述のアイコン領域座標設定レジスタ２０７に指定され、アイコンが表示される領域を矩形領域で定義し、当該矩形領域の対角に位置する２点の座標を保持しているものとする。
【００４４】
重み付け係数算出部３０５は、アイコン領域座標設定レジスタ２０７に設定されている矩形領域の座標情報と、表示データの水平座標値・垂直座標値とを入力とし、表示データがアイコン領域である矩形領域内にあるかどうかを判定する。表示データがアイコン領域内にある場合にはアイコン領域重み付け係数設定レジスタ２０８の保持値αを出力し、表示データがアイコン領域外にある場合には１という値を出力する。
【００４５】
なお、アイコン領域重み付け係数設定レジスタ２０８の保持値αには、アイコン領域が表示品位に与える影響度が他の領域に比べて低い場合には１未満の値を設定し、逆にアイコン領域が表示品位に与える影響度が他の領域に比べて高い場合には１より大きい値を設定する。
【００４６】
スレッショルド値判定部３０６は、各階調区間のヒストグラムを保持しているカウンタ１〜１６（３１１〜３２６）の値から、データ伸長率を決定するための基準となるスレッショルド値を算出する回路である。スレッショルド値とは、表示画面のヒストグラムにおいて上位から数％の位置にあたる階調値のことである。
【００４７】
スレッショルド値判定部３０６は、まずカウンタ１〜１６（３１１〜３２６）に保持される値の合計値を算出し、カウンタ１６（３２６）の保持値が合計値の数％より大きな値であれば２５５という値を出力する。そうでない場合は、カウンタ１６（３２６）とカウンタ１５（３２５）の保持値の和が合計値の数％より大きな値であれば２３９という値を出力する。以上のような演算を各階調区間の値の大きい方から小さい方へ繰り返し、表示画面のヒストグラムにおいて上位数％の位置にあたる階調値を算出し、これをスレッショルド値として出力する。
【００４８】
カウンタ１〜１６（３１１〜３２６）は、レジスタを内蔵しており、ＥＮ端子にイネーブル信号が入力されると＋端子に入力された数値をレジスタでの保持値に加算するという動作を行う。カウンタ１〜１６（３１１〜３２６）は、特許文献１の従来技術における、表示データの階調をいくつかの区間に区切って、表示データ中の出現画素数を各階調区間毎に計数するカウンタに相当する。本実施の形態においては、出現画素数を単純にカウントするのではなく、表示位置による表示品位への影響度に応じて重み付けされた数値を、表示データの属する各階調区間に対応するカウンタに加算する。
【００４９】
なお、カウンタ１〜１６（３１１〜３２６）のレジスタ保持値は、１フレーム期間の始まりに０にリセットされ、１フレーム期間毎に上記の加算処理を繰り返してヒストグラムを計数するものとするが、複数フレーム期間で上記加算処理を行う構成とすることも可能である。
【００５０】
表示データ伸張部３０２は、データ伸張率算出部３０７、積算器３０８を有する構成となっており、前記スレッショルド値に基づいて各表示データを伸張する処理を行う。
【００５１】
データ伸長率算出部３０７は、ヒストグラム計数部３０１のスレッショルド値判定部３０６で算出したスレッショルド値から、表示データを伸長するための係数であるデータ伸長率を（表示データの最大値）÷（スレッショルド値）という演算により算出する。これにより、入力される表示データがスレッショルド値と同じ値である場合には、後述の積算器３０８の出力が表示データの最大値と等しくなる。なお、ここにおける表示データの最大値とは、表示画像の全画素の値の中での最大値を指すものではなく、８ｂｉｔ階調の場合の２５５、６ｂｉｔ階調の場合の６３といった値のことを指す。
【００５２】
積算器３０８は、表示データと前記データ伸長率との積を算出し、信号線駆動回路２１３へ出力する。この積が前述の表示データの最大値を超える場合には、表示データの最大値を出力する。表示データの最大値を超える値を信号線駆動回路２１３に入力しても、液晶パネル２０２において表示不能だからである。
【００５３】
バックライト調整部３０３は、前記スレッショルド値に基づいてバックライトの発光量を決定するバックライト設定値を出力する処理を行う。表示データ伸張部３０２における表示データの伸張分を打ち消すような発光量となるように、バックライト設定値を算出する。なお、バックライト設定値の算出の方法については、スレッショルド値に対応するバックライト設定値のテーブルをあらかじめ定義しておき、当該テーブルに基づいて算出する方法や、スレッショルド値を入力とした何らかの関数を用いて算出する方法など種々の方法が考えられる。
【００５４】
次に、バックライト制御部２１１の全体の動作について順に説明する。まず、１フレーム期間の始まりに、カウンタ１〜１６（３１１〜３２６）のレジスタの保持値をすべて０にリセットする。
【００５５】
表示データがその表示位置を表す水平座標値と垂直座標値と共にバックライト制御部２１１に入力されると、重み付け係数算出部３０５は、水平座標値・垂直座標値がアイコン領域座標設定レジスタ２０７で指定されたアイコン領域である矩形領域内にあるかどうかを判定し、アイコン領域内にある場合にはアイコン領域重み付け係数設定レジスタ２０８に設定された重み付け値を、そうで無い場合には１という値をカウンタ１〜１６（３１１〜３２６）に出力する。
【００５６】
ヒストグラム区間判定部３０４では、表示データの階調値から、その表示データが属する階調区間を判定し、その階調区間に対応するカウンタの加算処理を有効にするイネーブル信号を出力する。カウンタ１〜１６（３１１〜３２６）のうち、上記のイネーブル信号を受信したカウンタは、前述の重み付け係数算出部３０５から出力された重み付け係数をカウンタ内のレジスタに加算する。上記のような演算を１画素毎、表示画面全体に対して行うことにより、カウンタ１〜１６（３１１〜３２６）に表示品位への影響度を加味して重み付けしたヒストグラムが取得される。
【００５７】
ヒストグラムが取得されると、スレッショルド値判定部３０６は、ヒストグラムの上位数％の位置にあたる階調値を算出し、これをスレッショルド値として出力する。ここで、スレッショルド値について補足説明する。スレッショルド値は、表示データ伸張部３０２のデータ伸長率算出部３０７で表示データの伸長率算出に用いられ、また、バックライト調整部３０３でバックライト発光量の制御に用いられる。
【００５８】
データ伸長率は、入力表示データの階調値がスレッショルド値と同じ場合に、表示データ伸張部３０２の積算器３０８からの出力が表示データの最大値となるような倍率となる。このため、入力表示データの階調値がスレッショルド値以下の場合には、積算器３０８での伸長処理後も輝度分解能が存置される。
【００５９】
しかし、入力表示データの階調値がスレッショルド値以上の場合には、表示データの最大値より大きな値を信号線駆動回路２１３に入力することができないため、積算器３０８からの出力は表示データの最大値に固定され、輝度分解能が無くなることになる。従って、スレッショルド値は、入力表示データの階調値のうち、バックライト制御部２１１での処理後、輝度分解能が存置される領域と輝度分解能が無くなる領域の境界点ということになる。
【００６０】
従来技術では、ヒストグラムの上位数％の位置にあたる階調値をスレッショルド値とすることで、表示画面において階調値がスレッショルド値以上となる画素数（∝面積）の全画素数に対する比率も同じパーセンテージとなる。このパーセンテージを調整することにより、表示画面において輝度分解能が無くなる面積を調整することができる。
【００６１】
本実施の形態では、ヒストグラムを計数する際に表示位置による表示品位への影響度を加味した重み付けを行っているため、ヒストグラムからスレッショルド値を算出する際に使用するパーセンテージと、スレッショルド値以上の階調値を持つ画素（＝データ伸長処理後に輝度分解能が無くなる画素）数の全画素数に対するパーセンテージは一致しなくなる。
【００６２】
しかし、表示上重要ではない高輝度なアイコンが表示画面中に存在する場合には、従来技術を用いた場合より本実施の形態の駆動回路の方がスレッショルド値を低く算出するため、データ伸長率が上がり、バックライト発光量を低減して消費電力を削減することができる。逆に、表示上重要な領域に高輝度な画素が多く存在する場合には、本実施の形態の駆動回路の方がスレッショルド値を高く算出するため、データ伸長率が下がり、表示品位の低下を防ぐことができる。
【００６３】
以上のような特徴を持つスレッショルド値に基づいて、表示データ伸張部３０２では、データ伸張率算出部３０７によって表示データの伸張率を決定し、積算器３０８によって表示データを伸張する。また、バックライト調整部３０３では、バックライト発光量の制御を行うためのバックライト設定値を算出して出力する。
【００６４】
以上に説明した構成と動作により、表示位置による表示品位への影響度をヒストグラム計数処理に反映することができる。その結果、表示画面全体の表示品位への影響を適切に制御しバックライト発光量の制御に反映させることができるため、表示品位を維持しつつバックライト制御による消費電力削減効果をより一層高めることができる。
【００６５】
なお、本実施の形態では、画面端部のアイコン表示領域はバックライト制御により輝度分解能が低下しても表示品位に与える影響は低いとして、画面端部のアイコンが表示される矩形領域内の表示データがヒストグラム計数処理に及ぼす影響度を低くするように制御する例を示したが、矩形領域の設定位置はアイコン表示領域や画面端部に限られるものではなく、また、矩形領域内の画素の表示データがヒストグラム計数処理に及ぼす影響度を高めるように制御しても構わない。
【００６６】
また、本実施の形態では、携帯電話向け液晶パネルを例に説明したが、それ以外の用途の液晶パネルであっても構わない。また、本実施の形態では、バックライト光源を背面に配置し液晶パネルを通して見る直視型液晶表示装置を例に説明したが、液晶プロジェクタ等の投影型液晶表示装置であっても構わない。
【００６７】
＜実施の形態２＞
以下に、本発明の実施の形態２の液晶表示装置の駆動回路について、図４〜図６を用いて説明する。本実施の形態は、表示画面を３つの領域に分け、ヒストグラム計数時にそれぞれの領域について表示品位への影響度に応じた重み付けを行い、バックライト発光量の制御を行うものである。
【００６８】
図４は、本実施の形態における液晶表示装置の画面表示例を表した図である。液晶パネル１０４上の表示画面に自然画を表示し、表示画面の上端と下端にアイコンを表示する領域としてアイコン領域Ａ４０１、アイコン領域Ｂ４０２を有する場合を表している。
【００６９】
図５は、本実施の形態の液晶駆動回路を含む液晶表示装置の構成を表した図である。前述の実施の形態１における図２の構成との相違点は、コントロールレジスタ２０６が有するレジスタが増えている点にあり、その他のブロックは、実施の形態１における図２で説明した内容と同様の機能を有するため、再度の説明は省略する。
【００７０】
コントロールレジスタ２０６は、アイコン領域Ａ座標設定レジスタ５０１、アイコン領域Ａ重み付け係数設定レジスタ５０２、アイコン領域Ｂ座標設定レジスタ５０３、アイコン領域Ｂ重み付け係数設定レジスタ５０４を有する構成となっている。
【００７１】
アイコン領域Ａ座標設定レジスタ５０１は、図４におけるアイコン領域Ａ４０１の矩形領域の表示画面における位置を指定するレジスタであり、アイコン領域Ａ重み付け係数設定レジスタ５０２は、図４におけるアイコン領域Ａ４０１内の画素についてのヒストグラム計数時の重み付け係数を指定するレジスタである。同様に、アイコン領域Ｂ座標設定レジスタ５０３は、図４におけるアイコン領域Ｂ４０２の矩形領域の表示画面における位置を指定するレジスタであり、アイコン領域Ｂ重み付け係数設定レジスタ５０４は、図４におけるアイコン領域Ｂ４０２内の画素についてのヒストグラム計数時の重み付け係数を指定するレジスタである。各アイコン領域の座標や重み付け係数の設定方法については、実施の形態１で説明した内容と同様である。
【００７２】
図６は、本実施の形態におけるバックライト制御部２１１の構成を表した図である。前述の実施の形態１における図３の構成との相違点は、コントロールレジスタ２０６が有するレジスタが増えたことに伴って、重み付け係数算出部３０５に入力されるレジスタの設定値が増えている点にあり、その他のブロックは、実施の形態１における図３で説明した内容と同様の機能を有するため、再度の説明は省略する。
【００７３】
重み付け係数算出部３０５は、表示データの水平座標値と垂直座標値とを入力とし、入力された表示データがアイコン領域Ａ４０１もしくはアイコン領域Ｂ４０２に属するかどうかを判定する。アイコン領域Ａ座標設定レジスタ５０１の値により特定されるアイコン領域Ａ４０１の領域内にある場合は、アイコン領域Ａ重み付け係数設定レジスタ５０２に格納されている重み付け係数αを出力し、アイコン領域Ｂ座標設定レジスタ５０３の値により特定されるアイコン領域Ｂ４０２の領域内にある場合は、アイコン領域Ｂ重み付け係数設定レジスタ５０４に格納されている重み付け係数βを出力する。
【００７４】
以上のような構成とすることで、バックライト制御部２１１において表示画像のヒストグラム計数を行う際に、アイコン領域Ａ４０１、アイコン領域Ｂ４０２、自然画領域の３つの領域毎に異なる重み付け係数を用いて重み付けを行うことができる。
【００７５】
なお、前述の実施の形態１において表示画面を２つの領域に分ける場合の例を示し、実施の形態２において３つの領域に分ける場合の例を示したが、表示画面を４つ以上の領域に分けて行うことも当然可能であり、領域の数はこれらに限られない。
【００７６】
＜実施の形態３＞
以下に、本発明の実施の形態３の液晶表示装置の駆動回路について、図７〜図９を用いて説明する。本実施の形態は、前述の実施の形態１および実施の形態２のように矩形領域ごとにヒストグラムを計数する際の重み付け係数を設定するのではなく、表示データに対応する水平・垂直座標値を入力値とする関数回路を用いて重み付け係数を算出することを特徴とするものである。
【００７７】
図７は、本実施の形態におけるヒストグラムを計数する際の重み付け係数の分布例を表す図であり、表示画面の中心に近い領域は視認性が高く、全体の表示品位への影響度が高いと考えられることを考慮して設定した場合の重み付け係数の分布例である。これにより、本実施の形態における駆動回路では、ヒストグラム計数処理において表示画面の中心に近い領域の重み付けを高くし、中心からの距離に応じて重み付けを低くするような制御を行う。なお、以下では水平２４０画素、垂直３２０画素のＱＶＧＡサイズの表示画面を例に説明する。
【００７８】
図８は、本発明の実施の形態３の液晶駆動回路を含む液晶表示装置の構成を表した図である。前述の実施の形態１における図２の構成との相違点は、コントロールレジスタ２０６が有するレジスタが重み付け係数算出パラメータ設定レジスタ８０１となっている点にあり、その他のブロックは、実施の形態１における図２で説明した内容と同様の機能を有するため、再度の説明は省略する。重み付け係数算出パラメータ設定レジスタ８０１は、表示画面の中心から端部に向かって重み付け係数が低下する傾斜の度合いを数値にて保持する。
【００７９】
図９は、本実施の形態におけるバックライト制御部２１１の構成を表した図である。前述の実施の形態１における図３の構成との相違点は、コントロールレジスタ２０６が有するレジスタが重み付け係数算出パラメータ設定レジスタ８０１となったことに伴って、重み付け係数算出部３０５に入力されるレジスタの設定値が変わっている点にあり、その他のブロックは、実施の形態１における図３で説明した内容と同様の機能を有するため、再度の説明は省略する。
【００８０】
重み付け係数算出部３０５は、表示データの水平座標値ｘと垂直座標値ｙとを入力とし、重み付け係数算出パラメータ設定レジスタ８０１の値γを基に重み付け係数を算出する関数回路である。重み付け係数算出部３０５では、図７に示した重み付け係数の分布を以下の数式に従い算出する。
【００８１】
【数１】
2008268717.tif 000003
【００８２】
数１は、表示位置の座標（ｘ，ｙ）と表示画面の中心の座標（１２０，１６０）とのユークリッド距離を算出し、それを最大距離で除算して正規化し、その数に重み付け係数算出パラメータ設定レジスタ８０１に保持された値γを乗算した数を１から引き算する数式である。数１で算出する重み付け係数は、表示画面の中心点から離れるほど低い値となり、その傾斜は重み付け係数算出パラメータ設定レジスタ８０１の値γで外部から調整可能である。
【００８３】
また、数１を数２の様に変形して、図１０に示すような重み付け係数の分布となるようにしてもよい。
【００８４】
【数２】
2008268717.tif 000004
【００８５】
上記のように、重み付け係数を表示画面の中心点から離れるほど低い値とすることにより、当該重み付け係数を用いてヒストグラム計数処理を行い、バックライト発光量を制御した場合に、表示画面の端部の画素ほど輝度分解能がなくなり画質劣化する可能性が高くなる。しかし、テレビ画像等では、画面中央部の前景に焦点が合い、画面端部の背景には元々焦点が合っていないため、画面端部の画質が劣化したとしても表示品位上大きな問題はない。
【００８６】
なお、前述したように、本実施の形態では表示データの位置座標を入力値とする関数によってヒストグラムを計数する際の重み付け係数を算出することを特徴とする。従って、その関数を表す数式は数１や数２に限られるものではなく、表示データの座標値を入力して重み付け係数を算出するものであれば、数１や数２以外の関数であっても構わない。
【００８７】
以上のような構成とすることで、バックライト制御部２１１において表示画像のヒストグラム計数を行う際に、表示位置による表示画面全体の表示品位への影響をより細かい単位で制御し、バックライト発光量の制御に反映させることができるため、表示品位を維持しつつバックライト制御による消費電力削減効果をより一層高めることができる。
【００８８】
なお、前述の実施の形態１〜３の駆動回路におけるバックライト制御部２１１にて行っているヒストグラムの計数、スレッショルド値の算出、表示データの伸張、バックライト発光量の制御などの一連の処理を、図２の制御プロセッサ２０４等の外部のプロセッサでの演算により行う構成とすることも可能である。
【００８９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００９０】
本発明は、液晶ディスプレイやプロジェクタ等の画像表示装置において、表示品位を維持しつつバックライト制御による省電力化を行う技術に利用可能である。また、利用範囲も携帯電話用の液晶ディスプレイのみならず、液晶ディスプレイを使用するその他の情報機器、テレビ等にも利用可能である。
【図面の簡単な説明】
【００９１】
【図１】本発明の実施の形態の概念を説明するための液晶表示装置の概念図である。
【図２】本発明の実施の形態１である液晶駆動回路を含む液晶表示装置の構成を表した図である。
【図３】本発明の実施の形態１におけるバックライト制御部の構成を表した図である。
【図４】本発明の実施の形態２における液晶表示装置の画面表示例を表した図である。
【図５】本発明の実施の形態２である液晶駆動回路を含む液晶表示装置の構成を表した図である。
【図６】本発明の実施の形態２におけるバックライト制御部の構成を表した図である。
【図７】本発明の実施の形態３における重み付け係数の分布例を表す図である。
【図８】本発明の実施の形態３である液晶駆動回路を含む液晶表示装置の構成を表した図である。
【図９】本発明の実施の形態３におけるバックライト制御部の構成を表した図である。
【図１０】本発明の実施の形態３における重み付け係数の分布例を表す図である。
【符号の説明】
【００９２】
１０１…携帯電話機、１０２…信号線駆動回路、１０３…走査線駆動回路、１０４…液晶パネル、１０５…バックライトモジュール、
２０１…液晶駆動回路、２０２…液晶パネル、２０３…バックライトモジュール、２０４…制御プロセッサ、２０５…システムインターフェース、２０６…コントロールレジスタ、２０７…アイコン領域座標設定レジスタ、２０８…アイコン領域重み付け係数設定レジスタ、２０９…タイミング発生回路、２１０…グラフィックＲＡＭ、２１１…バックライト制御部、２１２…階調電圧生成回路、２１３…信号線駆動回路、２１４…走査線駆動回路、２１５…ＰＷＭ回路、２１６…バックライト電源回路、
３０１…ヒストグラム計数部、３０２…表示データ伸張部、３０３…バックライト調整部、３０４…ヒストグラム区間判定部、３０５…重み付け係数算出部、３０６…スレッショルド値判定部、３０７…データ伸張率算出部、３０８…積算器、３１１…カウンタ１、３１２…カウンタ２、３２５…カウンタ１５、３２６…カウンタ１６、
４０１…アイコン領域Ａ、４０２…アイコン領域Ｂ、
５０１…アイコン領域Ａ座標設定レジスタ、５０２…アイコン領域Ａ重み付け係数設定レジスタ、５０３…アイコン領域Ｂ座標設定レジスタ、５０４…アイコン領域Ｂ重み付け係数設定レジスタ、
８０１…重み付け係数算出パラメータ設定レジスタ。
【図１】
2008268717.tif 000005
【図２】
2008268717.tif 000006
【図３】
2008268717.tif 000007
【図４】
2008268717.tif 000008
【図５】
2008268717.tif 000009
【図６】
2008268717.tif 000010
【図７】
2008268717.tif 000011
【図８】
2008268717.tif 000012
【図９】
2008268717.tif 000013
【図１０】
2008268717.tif 000014